(57)【要約】【課題】ロールフィルムの側面に密着したフィルム端部を簡単に引き出すことができるフィルム端部の引出し具１００を提供する。【解決手段】ロールフィルムＰを収容する収納箱２００に当接体１と端部検出面３とからなる引出し具１００を形成する。当接体１は、ロールフィルムＰの長手側面が当接自在となる平面部１Ａを利用する。端部検出面３は、当接体１の平面部１Ａ表面に粘着部材２を接着して形成される。この粘着部材２は、端部検出面３に接着されたロールフィルムＰの側面が該端部検出面３上で回転自在となる粘着力を有する。そして、ロールフィルムＰの長手側面を当接体１の端部検出面３に押し当ててフィルム端部Ｐ１を粘着せしめ、フィルムが開く方向にロールフィルムＰを回転させてフィルム端部Ｐ１を引き出す。【選択図】  図１
2011001109.tif 000002
【特許請求の範囲】
【請求項１】
ラップフィルムを巻回したロールフィルムを収納する箱本体と、該箱本体の開口部に連設された蓋体とを有する収納箱を使用し、該ロールフィルムの側面に密着したフィルム端部を該ロールフィルム側面から引き離すフィルム端部の引出し方法において、ロールフィルムの長手側面の全長が当接可能となる収納箱の平面部に、ラップフィルムが着脱自在となる粘着部材を接着して端部検出面を形成し、収納箱から取り出したロールフィルムの長手側面を端部検出面に密着するように押し当て、端部検出面にフィルム端部を粘着せしめた後、ロールフィルムを回転させてフィルム端部を引き出すことを特徴とするフィルム端部の引出し方法。
【請求項２】
ラップフィルムを巻回したロールフィルムを収納する箱本体と、該箱本体の開口部に連設された蓋体とを有する収納箱に設けられ、ロールフィルムの側面に密着したフィルム端部を該ロールフィルム側面から引き離すフィルム端部の引出し具において、該引出し具は、ロールフィルムの長手側面の全長が当接可能な収納箱のいずれかの面を当接体とすると共に、該当接体の平面部にロールフィルムが着脱自在となる粘着部材を接着して端部検出面を形成したもので、収納箱から取り出したロールフィルムの長手側面を端部検出面に押し当ててフィルム端部を粘着せしめると共に、ロールフィルムを回転させてフィルム端部を引き出すことを特徴とするフィルム端部の引出し具。
【請求項３】
前記粘着部材は、ラップフィルムに対して着脱自在な粘着性を有する合成樹脂が使用された請求項２記載のフィルム端部の引出し具。
【請求項４】
前記粘着部材は、アクリルゴム又は軟質塩化ビニールを全部又は一部に含有する請求項２又は３記載のフィルム端部の引出し具。
【請求項５】
前記当接体は、前記収納箱の蓋体を構成する天板とし、又は、前記箱本体を構成する側板又は底板とする請求項２乃至４いずれか記載のフィルム端部の引出し具。
【発明の詳細な説明】
【技術分野】
【０００１】
本発明は、食品用ラップフィルム等を筒状に巻回したロールフィルムにおいて、該ロールフィルムの側面に密着したフィルム端部を簡単に引出すことができるフィルム端部の引出し方法及び引出し具に関する。
【背景技術】
【０００２】
食品用ラップ等のフィルムは、厚さ十数μmのプラスチックフィルムが筒状に巻き付けられている(以下、ロールフィルムと称する)。そして、フィルムの端部がロールフィルムの側面に接触すると、静電気の作用などによってフィルム端部が密着状態になる。そのため、このフィルム端部の検出が困難な作業になっていた。しかも、やっと検出したフィルム端部をつまんで剥がそうとすると、つまんだ一部からフィルムが裂けてしまい、均等に引き出すことができなくなることも多い。このように、密着状態のフィルム端部をロールフィルムから引き出すには極めて面倒な手間を要していた。
【０００３】
一方、この種のロールフィルムが食品用ラップフィルムとして使用される場合、ロールフィルムを切断するカッターを備えた収納箱に収納されている。そして、該収納箱から必要な長さだけ引き出してカッターで切断する。このような収納箱では、ロールフィルムが巻き戻ったり、不用意に飛び出したりしてフィルム端部がロールフィルムの側面に密着しないようにするための工夫が凝らされている。
【０００４】
例えば特許文献１に記載のラップフィルム用カートンでは、ラップフィルムを切断する位置の側壁に巻戻り防止層を設けている。そして、箱から引き出したラップフィルムをこの巻戻り防止層に密着せしめることで、ラップフィルムの巻き戻しを防止するものである。
【０００５】
また特許文献２に記載されたラップフィルムの収納箱では、箱の長さ方向の両端部にラップフィルムとの密着力が高い高密着面を形成し、該高密着面に切断後のフィルムを密着させることで、フィルムが逆戻りするのを防止すると共に、切り始めのフィルムのスリップを防止している。
【０００６】
さらに特許文献３では、収納箱の長手両端部の側面にロールフィルムの両端部を支える折込片等を設け、ロールフィルムが収納箱から不用意に飛び出すのを防止している。すなわち、収納箱からロールフィルムが不用意に飛び出した際に、このフィルム端部がロールフィルム側面に巻き付けられるのを予防するものである。
【０００７】
一方、市販されているロールフィルム用収納箱の説明書などには、既にフィルム端部がロールフィルムに密着してしまったときの対応策として、セロハンテープを使用してフィルム端部を見つける手順などが紹介されている。
【先行技術文献】
【特許文献】
【０００８】
【特許文献１】特許第２６０８６１７号公報
【特許文献２】特許第２７０５８９９号公報
【特許文献３】実公昭６１‐４３７０２号公報
【発明の概要】
【発明が解決しようとする課題】
【０００９】
前記の各特許文献に例示されるごとく、従来のロールフィルム用の収納箱では、引き出したフィルム端部が巻き戻らないようにする工夫や、収納箱から不用意に飛び出さないようにする工夫などが数多く提案されている。ところが、このフィルム端部がロールフィルム側面に既に密着してしまったときに、フィルム端部を簡単に引き剥がす手段は極めて限定されており、前述のようなセロハンテープなどに頼らざるを得ないものであった。
【００１０】
しかも、食品用フィルムは使用時に、のこぎり状のカッターで切断されているため、セロハンテープでフィルムの一部のみを接着して引き剥がそうとすると、接着した一部のみがフィルム端部から裂けてしまうことが多い。この場合、フィルム端部の裂けた一部のみが引き出され、残されたフィルム端部がロール側面に密着したまま周回遅れになる。このような状態では、もはやフィルム端部をもとの状態に引き出すことが極めて困難になり、フィルムの使用をあきらめてそのまま廃棄されることも少なくない。
【００１１】
そのため、ロールフィルムの側面に巻きついてしまったフィルム端部を引き出す手段は、たとえ接着テープなどを使用したとしても極めて面倒な作業にならざるを得ず、誰でも簡単に使いこなすことができるフィルム端部の引き出し手段が望まれていた。
【００１２】
そこで本発明は上述の課題を解決すべく創出されたもので、既にロールフィルムの側面に密着してしまったフィルム端部を、誰もが簡単に引き出すことができるフィルム端部の引出し方法及び引出し具又は引出し具を備えた収納箱の提供を目的とするものである。
【課題を解決するための手段】
【００１３】
上述の目的を達成するため本発明における第１の手段は、ラップフィルムを巻回したロールフィルムＰを収納する箱本体１０と、該箱本体１０の開口部に連設された蓋体２０とを有する収納箱２００を使用し、該ロールフィルムの側面に密着したフィルム端部Ｐ１を該ロールフィルムＰ側面から引き離すフィルム端部の引出し方法において、ロールフィルムＰの長手側面の全長が当接可能となる収納箱２００の平面部１Ａに、該ロールフィルムＰが着脱自在となる粘着部材２を接着して端部検出面３を形成し、収納箱２００から取り出したロールフィルムＰの長手側面を端部検出面３に密着するように押し当て、端部検出面３にフィルム端部Ｐ１を粘着せしめた後、ロールフィルムＰを回転させてフィルム端部Ｐ１を引き出す方法にある。
【００１４】
第２の手段は、ラップフィルムを巻回したロールフィルムＰを収納する箱本体１０と、該箱本体１０の開口部に連設された蓋体２０とを有する収納箱２００に設けられ、ロールフィルムの側面に密着したフィルム端部Ｐ１を該ロールフィルムＰ側面から引き離すフィルム端部の引出し具１００において、該引出し具１００は、ロールフィルムＰの長手側面の全長が当接可能な収納箱２００のいずれかの面を当接体１とすると共に、該当接体１の平面部１Ａにラップフィルムが着脱自在となる粘着部材２を接着して端部検出面３を形成したもので、収納箱２００から取り出したロールフィルムＰの長手側面を端部検出面３に押し当ててフィルム端部Ｐ１を粘着せしめると共に、ロールフィルムＰを回転させてフィルム端部Ｐ１を引き出す引出し具にある。
【００１５】
第３の手段の前記粘着部材２は、ラップフィルムに対して着脱自在な粘着性を有する合成樹脂が使用されたものである。
【００１６】
第４の手段の前記粘着部材２は、アクリルゴム又は軟質塩化ビニールからなり又はいずれか一部を含有した合成樹脂が使用されるものである。
【００１７】
第５の手段において、前記当接体１は、前記収納箱２００の蓋体２０を構成する天板２１とし、又は、前記箱本体１０を構成する側板２２又は底板２３とすることを課題解消のための手段とする。
【発明の効果】
【００１８】
本発明の請求項１によると、ロールフィルムＰの長手側面を端部検出面３に密着するように押し当て、端部検出面３にフィルム端部Ｐ１を粘着せしめることによって、フィルム端部Ｐ１を、極めて簡単に見つけ出すことができる。すなわち、これまでフィルム端部Ｐ１をロールフィルムＰの一部から探すといった従来の発想を転換し、ロールフィルムＰを回転させるだけの簡単な操作でフィルム端部Ｐ１の全体を一度に探すといった逆転の発想により、フィルム端部Ｐ１を極めて容易に引き出すことに成功したものである。
【００１９】
この結果、これまでのようにセロハンテープを使用しなくても、ロールフィルムＰを端部検出面３に着脱自在に押し当てて回転させるだけで、誰でも簡単にフィルム端部Ｐ１を引き出すことが可能になった。しかも、フィルム端部Ｐ１の全長を端部検出面３に粘着させた状態でフィルム端部Ｐ１を引き出すことから、セロハンテープなどによって部分的に引き剥がしたときのように、フィルム端部Ｐ１の一部が周囲から切り離され、かえって修復が困難になるような不都合もなくなった。
【００２０】
しかも、フィルム端部Ｐ１が周回遅れなど、不揃いに密着した状態になっているロールフィルムＰであっても、ロールフィルムＰの長手側面を端部検出面３に平行に押し当てることで、フィルム端部Ｐ１を順次探し出すことができる。したがって、周回遅れになっているフィルム端部Ｐ１でも簡単に順次引き出すことも可能になる。
【００２１】
請求項２の引出し具１００は、ロールフィルムＰを収納する収納箱２００に設けたもので、ロールフィルムＰの長手側面の全長が当接可能な収納箱２００のいずれかの面を当接体１とすると共に、該当接体１の平面部１ＡにロールフィルムＰが着脱自在となる粘着部材２を接着して端部検出面３を形成したものであるから、引出し具１００自体の構成としては極めてシンプルな構成になる。したがって、本発明引出し具１００を常にロールフィルムＰのそばに設置することができる。したがって、いつ、どのような場所でもロールフィルムＰと共に、引出し具１００を使用することが可能になる。
【００２２】
請求項３、４によると、前記粘着部材２は、粘着部材２は、ラップフィルムに対して着脱自在な粘着性を有する合成樹脂からなるので、この粘着部材２により、フィルム端部Ｐ１を着脱自在に貼り直しでき、端部検出面３にロールフィルムＰを押し付けながらフィルム端部Ｐ１を検出する作業が容易になる。
【００２３】
請求項５によると、収納箱２００の主な面を当接体１として利用できるので、極めて簡単な構成の引出し具１００を設けることができる。
【図面の簡単な説明】
【００２４】
【図１】本発明の一実施例を示す斜視図である。
【図２】(イ)乃至(ハ)は本発明引出し方法の一実施例を示す側面図である。
【図３】本発明の他の端部検出方法を示す平面図である。
【発明を実施するための形態】
【００２５】
このように本発明によると、ロールフィルムの側面に巻きついてしまったフィルム端部を、極めて容易に見つけ出し、誰もが簡単に引き出すことができるなどといった目的を実現した。
【実施例】
【００２６】
以下、本発明の一実施例を説明する。本発明引出し方法は、長尺な帯状フィルムが筒状に巻かれたロールフィルムＰにおいて実施される。すなわち、ロールフィルムＰの側面に密着したフィルム端部Ｐ１を簡単に見つけ出して引き出す方法である。このロールフィルムＰの材質や用途は限定されないが、特に食品用ラップフィルム等の包装用ラップあるいはストレッチフィルムなど、薄いフィルムを巻きつけたロールフィルムＰのフィルム端部を引出すのに有効である(図１参照)。
【００２７】
本発明引出し方法は、ラップフィルムを巻回したロールフィルムＰを収納する収納箱２００を使用する。この収納箱２００は、ロールフィルムＰを収納する箱本体１０と、該箱本体１０の開口部に連設された蓋体２０とからなる。この収納箱２００において、ロールフィルムＰの長手側面の全長が当接可能となる平面部１Ａに、該ロールフィルムＰが着脱自在となる粘着部材２を接着して端部検出面３を形成する(図１参照)。この粘着部材２は、端部検出面３に粘着せしめたロールフィルムＰが、該端部検出面３上で貼り直し自在になる程度の粘着力を有するものである。
【００２８】
次に、端部検出面３を使用してフィルム端部Ｐ１端部の位置を探し出す。すなわち、収納箱２００から取り出したロールフィルムＰを持ってロールフィルムＰの長手側面の全長を端部検出面３に平行に押し当てる(図２(イ)参照)。次に、このロールフィルムＰを押し当てながら少しずつ円周方向に回転させて行く(同図(ロ)参照)。
【００２９】
この手順を繰り返してロールフィルムＰの当接面を順次変えて行くと、フィルム端部Ｐ１の一部又は全体が端部検出面３に接着された状態で検出される。例えば、フィルム端部Ｐ１の一部が見つかった場合、ロールフィルムＰの当接位置を貼り直してフィルム端部Ｐ１の長手部分を端部検出面３に粘着せしめる。
【００３０】
そして、フィルム端部Ｐ１の長手部分を端部検出面３に粘着させた後、フィルムが開く方向へロールフィルムＰを回転させると、端部検出面３に粘着されたフィルム端部Ｐ１がロールフィルムＰ側面から引き出された状態になる(図２(ハ)参照)。
【００３１】
また、該検出時において、フィルム端部Ｐ１の長手部分の全体が端部検出面３に一度で粘着されることも多い。この場合は、そのままロールフィルムＰを回転させるだけのワンタッチ操作でフィルム端部Ｐ１を引き出すことができる(図２(ハ)参照)。
【００３２】
フィルム端部Ｐ１が斜めに切断されている場合など、フィルム端部Ｐ１の長手全体を端部検出面３に一度で接着できない状態では、できるだけフィルム端部Ｐ１を長めに接着し、引き出す面積が広くなるように貼り直しながら調整し、最終的にフィルム端部Ｐ１の長手全体が接着できるようにする。
【００３３】
フィルム端部Ｐ１の一部が周回遅れになっている場合は最も困難な修復作業になっていた。この場合でも次の手順で容易に修復可能になる。まずロールフィルムＰの各端部に近接するフィルム端部Ｐ１をそれぞれ検出する。この検出には、ロールフィルムＰの長手側面全体を端部検出面３に当接するのではなく、ロールフィルムＰを端部検出面３に対して横向きに押し当てる(図３参照)。そして、ロールフィルムＰの一方の長手端部のみが端部検出面３に当接した状態でロールフィルムＰを回転させるとフィルム端部Ｐ１を容易に検出できる。
【００３４】
このような手順でロールフィルムＰの長手両端部にあるフィルム端部Ｐ１をそれぞれ検出すると、引き出しが先行しているフィルム端部Ｐ１と周回遅れのフィルム端部Ｐ１とが別々に検出されるので、周回遅れのフィルム端部Ｐ１を引き出し、先行しているフィルム端部Ｐ１に揃える。このように、フィルム端部Ｐ１を修復する手順は、フィルム端部Ｐ１の状態に応じて適宜に変更することができる。
【００３５】
本発明引出し具１００は、ラップフィルムを巻回したロールフィルムＰを収納する箱本体１０と、該箱本体１０の開口部に連設された蓋体２０とを有する収納箱２００に設けられている。該引出し具１００は、ロールフィルムＰの長手側面の全長が当接可能な収納箱２００のいずれかの面を当接体１とすると共に、該当接体１の平面部１ＡにロールフィルムＰが着脱自在な粘着部材２を接着して端部検出面３を形成している(図１参照)。そして、収納箱２００から取り出したロールフィルムＰの長手側面を端部検出面３に押し当ててフィルム端部Ｐ１を粘着せしめる。さらに、ロールフィルムＰを回転させてフィルム端部Ｐ１を引き出すものである。
【００３６】
粘着部材２は、当接体１の平面部１ＡにロールフィルムＰを着脱自在に粘着せしめるものである。したがって、端部検出面３に当接されたロールフィルムＰの側面が端部検出面３上で貼り直しが可能な粘着部材２を使用する。すなわち、粘着部材２の接着力は、端部検出面３に当接されたロールフィルムＰの側面が貼り付き、フィルム端部が張り付いたままでロールフィルムＰが回転自在となる粘着力であれば本発明引出し具１００の粘着部材２として使用可能である。
【００３７】
この粘着部材２は、特にラップフィルムに対して着脱自在な粘着性を有する合成樹脂を使用する。特に、アクリルゴム又は軟質塩化ビニールからなり又はいずれか一部を含有した合成樹脂が好適である。例えば、軟質塩化ビニール製のフィルム又はシートを前記平面部１Ａに接着する。また、剥離自在な接着剤として使用されているアクリルゴム溶剤を粘着部材２として使用し、平面部１Ａにスプレー塗布等にて接着してもよい。
【００３８】
このような粘着部材２は、本発明で使用する粘着部材２の一実施例にすぎず、ロールフィルムＰを着脱自在に貼り直しができる粘着力を有するものなら、合成樹脂に限らず他の材質に変更することも可能である。
【００３９】
さらに、粘着部材２を接着する面積が広くなるほどフィルム端部Ｐ１を検出し易くなる。しかしながら、必ずしも当接体１の平面部１Ａ全面に接着する必要はなく、ロールフィルムＰの長手側面の全長が粘着可能になる程度の幅狭な帯状に限定して接着してもよい。また、端部検出面３は、フィルム端部Ｐ１の長手方向に沿った全長を粘着するので、粘着部材２は平面部１Ａ上の全面に接着してもよいが、粘着部材２を多数の点状に接着するなど、ある程度の間隔をおいて接着することも可能である。
【００４０】
一方、収納箱２００に形成する引出し具１００は、前記収納箱２００の蓋体２０を構成する天板２１の内側面又は外側面に粘着部材２を接着して形成することができる。また、前記箱本体１０を構成する側板２２の内側面又は外側面に粘着部材２を接着して形成しても良い。さらに、前記箱本体１０を構成する底板２３の外側面に粘着部材２を接着して形成することも可能である。収納箱２００においてロールフィルムＰの長手側面全体を接合可能な面の中で、唯一引出し具１００として利用できないのは、底板２３の内側面である。すなわち、底板２３の内側面には、ロールフィルムＰが収納されているので、この面に粘着部材２を接着するとロールフィルムＰの引き出し操作に支障が生じることによる。
【００４１】
図示例では、蓋体２０の天板２１を当接体１とし、蓋体２０内部の内側面２１Ａを平面部１Ａとしている(図１参照)。そして、この内側面２１Ａに直接粘着部材２を付着して端部検出面３を形成し、蓋体２０を引出し具１００とするものである。
【００４２】
天板２１の内側面２１Ａを当接体１とした場合、蓋体２０を開くと引出し具１００の使用が可能になる。さらに、開いた蓋体２０の一側縁部は箱本体１０の開口側縁に連続しているので、当接体１の粘着部材２にフィルム端部Ｐ１を接着させた状態で、箱本体１０方向にロールフィルムＰを回転移動させることができる。この場合、片手で蓋体２０を支え、もう一方の手で持ったロールフィルムＰを内側面２１Ａに当接させるといった簡単な操作になる。
【００４３】
尚、本発明は図示例に限定されるものではなく、当接体１や収納箱２００の形状や寸法等の設計変更、および当接体１や粘着部材２の材質の置換などは、本発明の要旨を変更しない範囲において自由に変更できるものである。
【産業上の利用可能性】
【００４４】
本発明によると、食品用ラップ以外にも包装用ラップなど、あらゆるラップフィルムを筒状に巻回したロールフィルに適用することができる。
【符号の説明】
【００４５】
Ｐ  ロールフィルム
Ｐ１  フィルム端部
１  当接体
１Ａ  平面部
２  粘着剤
３  端部検出面
４  取手
５  剥離紙
１０  箱本体
２０  蓋体
２１  天板
２１Ａ  内側面
２２  側板
２３  底板
１００  収納箱
【図１】
2011001109.tif 000003
【図２】
2011001109.tif 000004
【図３】
2011001109.tif 000005